(57)【特許請求の範囲】
【請求項１】
貯蔵庫(10)に配設され、所定間隔離間して組付けられた外装板(28)と内装板(29)との間に断熱材(30)が充填されると共に、両板(28,29)に形成した開口部(32a,29a)に透視窓(31)が嵌込まれた扉において、
前記内装板(29)は、前記開口部(29a)を形成するように位置決めされる上面パネル(34)、下面パネル(35)、左面パネル(36)および右面パネル(37)から構成され、
前記透視窓(31)の周囲に臨む前記上面パネル(34)の下端縁、下面パネル(35)の上端縁、左面パネル(36)の右側端縁および右面パネル(37)の左側端縁の夫々に、庫内側に向かうにつれて透視窓(31)から離間する傾斜部(40a,40a,43a,43a)が形成された係合部(40,40,43,43)が設けられ、
前記係合部(40,40,43,43)における長手方向の端縁部を、前記４つのパネル(34,35,36,37)を前記開口部(29a)を形成するように位置決めした際に、上下のパネル(34,35)の各係合部(40,40)と左右のパネル(36,37)の各係合部(43,43)とが、その長手方向の端縁部が相互に隙間なく当接するよう傾斜させた
ことを特徴とする貯蔵庫の扉。
【請求項２】
前記透視窓(31)は、庫内側の面に支持部(45c)が形成されたパッキン(45)を介して開口部(29a)に嵌め込まれ、前記４つのパネル(34,35,36,37)の傾斜部(40a,40a,43a,43a)における透視窓(31)側の開放端に、開口部(29a)から離間するよう断熱材(30)側に向けて折曲された係止部(40b,40b,43b,43b)を夫々形成し、各係止部(40b,40b,43b,43b)が該支持部(45c)の庫内側の面に当接して各パネル(34,35,36,37)が位置決めされるようにした請求項１記載の貯蔵庫の扉。
【発明の詳細な説明】
【０００１】
【発明の属する技術分野】
この発明は貯蔵庫の扉に関し、更に詳細には、庫内を透視する透視窓を有し、外装板と内装板との間に断熱材が充填されている扉に関するものである。
【０００２】
【従来の技術】
冷蔵庫や冷凍庫等の貯蔵庫の扉は、例えば特開平４−２４０３７８号公報に開示されるように、外装板と内装板とを前後方向に所定間隔離間して組付け、その間に断熱材を注入発泡することで、断熱性を確保するよう構成される。また扉には、庫内に収納された物品を庫外から視認するためのガラス窓が嵌込まれている。
【０００３】
【発明が解決しようとする課題】
前述した扉では、庫内側に臨む内装板におけるガラス窓の周囲に臨む部分が、該ガラス窓に対して庫内側に直角に突出しているため、ガラス窓と内装板とで形成される角部に汚れ等が溜り易く、清掃性が劣る問題がある。このため、庫内が不衛生になると共に、角部に溜った汚れ等がガラス窓を通して庫外前面側から見えるため、見栄えが劣る難点も指摘される。
【０００４】
また、ガラス窓周囲の内装板が該窓に対して直角に突出しているから、ガラス窓に対して斜めから庫内を見たときに、前面から見てガラス窓から側方(内装板側)に離間した位置に収納されている物品は見えなくなる。更には、庫外からガラス窓を通して庫内に斜めに入る光は、直角に突出する内装板により遮られるため、庫内に届く光の量が少なくなり、庫内の物品が見え難くなる欠点がある。
【０００５】
【発明の目的】
本発明は、前述した従来の技術に内在している前記欠点に鑑み、これを好適に解決するべく提案されたものであって、清掃性を向上し得ると共に、庫内の視認性を確保し得る貯蔵庫の扉を提供することを目的とする。
【０００６】
【課題を解決するための手段】
前記課題を克服し、所期の目的を好適に達成するため、本発明に係る貯蔵庫の扉は、
貯蔵庫に配設され、所定間隔離間して組付けられた外装板と内装板との間に断熱材が充填されると共に、両板に形成した開口部に透視窓が嵌込まれた扉において、
前記内装板は、前記開口部を形成するように位置決めされる上面パネル、下面パネル、左面パネルおよび右面パネルから構成され、
前記透視窓の周囲に臨む前記上面パネルの下端縁、下面パネルの上端縁、左面パネルの右側端縁および右面パネルの左側端縁の夫々に、庫内側に向かうにつれて透視窓から離間する傾斜部が形成された係合部が設けられ、
前記係合部における長手方向の端縁部を、前記４つのパネルを前記開口部を形成するように位置決めした際に、上下のパネルの各係合部と左右のパネルの各係合部とが、その長手方向の端縁部が相互に隙間なく当接するよう傾斜させたことを特徴とする。
【０００７】
【発明の実施の形態】
次に、本発明に係る貯蔵庫の扉につき、好適な実施例を挙げて、添付図面を参照しながら以下説明する。図１〜図６は、実施例に係る扉を示すものであり、図７は、実施例の扉が配設される冷蔵庫を示す。なお、実施例において前後および左右とは、冷蔵庫を前面側(正面側)から視た状態で指称する。
【０００８】
実施例の冷蔵庫(貯蔵庫)１０は、内箱と外箱との間に断熱材が発泡充填された筐体１１と、該筐体１１の前面側に開設された開口部１１ａを開閉自在に閉成し得るよう回動可能に配設された扉１２および庫内を冷却する冷凍機構１３とから基本的に構成される。冷凍機構１３を構成する冷却器およびファン(何れも図示せず)は、庫内上方に配設される。また冷凍機構１３を構成する圧縮機１４や凝縮器１５等は、筐体１１の下部に配設されたキャビネット１６に内部画成した機械室１７に収納されている。そして冷蔵庫１０では、冷凍機構１３の運転によって冷却器に冷媒を循環供給することで庫内を冷却するよう構成される。
【０００９】
前記冷凍機構１３を構成する各種部品は、図８および図９に示すように、ベース板１８に固定セットした状態で機械室１７に収納されている。すなわち、ベース板１８上には、前後に離間して圧縮機１４と凝縮器１５とが設置されると共に、その間に、該凝縮器１５を冷却するための送風装置１９が設置される。この送風装置１９は、前記ベース板１８に立設されるカバー部材２０と、該カバー部材２０に配設される２基の送風機２１とから構成される。カバー部材２０は、矩形状の箱状本体２２を備え、該本体２２の凝縮器１５を指向する後面側に、矩形状開口部２２ａが開設され、凝縮器１５の空気吹出面が、該矩形状開口部２２ａと対向している。また箱状本体２２の圧縮機１４を指向する前面側には、図１０に示す如く、幅方向に離間して２つの円形開口部２２ｂ,２２ｂが開設される。前記送風機２１は、モータ２３と、その回転軸に配設したファンブレード２４とから構成され、各送風機２１が、箱状本体２２の対応する円形開口部２２ｂにファンブレード２４を整合した状態で、左右一対のブラケット２５,２５を介して箱状本体２２に配設されるようになっている。
【００１０】
すなわち、実施例の送風装置１９では、２基の送風機２１,２１のモータ２３,２３を駆動制御してファンブレード２４,２４を回転させることにより、凝縮器１５の後側近傍の空気を箱状本体２２内へ矩形状開口部２２ａを介して順次吸込み、該凝縮器１５を通過する際に熱交換を図って凝縮器１５を冷却させる。そして、矩形状開口部２２ａから箱状本体２２内に入った空気は、前記円形開口部２２ｂ,２２ｂを介して前側に吹出され、該空気が前記圧縮機１４へ吹付けられることで該圧縮機１４の冷却を行なうよう構成される。
【００１１】
前記箱状本体２２の後面側には、図９および図１１に示す如く、前記凝縮器１５の上面を覆う水平部２６ａと、該水平部２６ａの開放端で直角上方に折曲する垂直部２６ｂとからなる規制部材２６が配設され、該規制部材２６により円形開口部２２ｂ,２２ｂから前側に吹出された空気が、凝縮器周囲から後方(空気吸込側)に回り込む、いわゆるショートサイクルが生ずるのを防止するよう構成される。また前記送風機２１を箱状本体２２に配設する各ブラケット２５,２５には、図１０に示す如く、円形開口部２２ｂ,２２ｂと対向する位置に所要径の孔部２５ａ,２５ａが穿設されており、各円形開口部２２ｂから吹出された空気が、ブラケット２５,２５に当ることで圧縮機１４へ吹付けられる風量が減少するのを抑制するようになっている。
【００１２】
なお、前記キャビネット１６の後面には、凝縮器１５を空冷する外部空気を取入れるための複数の通孔(図示せず)が穿設されており、前記送風装置１９の運転時には該通孔を介して空気が吸込まれるようになっている。これに対し、前記規制部材２６の垂直部２６ｂは、キャビネット１６の上面近傍まで延在しており、通孔を介して機械室１７内に入った水等が、前記送風機２１等にかかるのを防止する機能も備えている。また前記箱状本体２２の内部には、両円形開口部２２ｂ,２２ｂの間に仕切り板２７が配設され、２基の送風機２１,２１により吸込まれる空気が相互に干渉するのを防止し、効率的に空気が流れるよう構成される。
【００１３】
実施例に係る扉１２は、図１および図２に示す如く、庫外側に臨む外装板２８と、この外装板２８に対して所定間隔離間して組付けられて庫内側に臨む内装板２９と、両板２８,２９間に発泡充填された断熱材３０および透視窓としてのガラス窓３１とから基本的に構成される。外装板２８は、矩形状本体３２の略中央に縦長の開口部３２ａが形成されると共に、その開口縁部には、内装板側に略直角に折曲された第１係合部３２ｂが形成される。また矩形状本体３２の外周縁に、内装板側に折曲された略Ｌ字状の第２係合部３２ｃが形成され、該第２係合部３２ｃに、内装板２９を連結するためのホルダ３３が係合するよう構成される(図５参照)。
【００１４】
前記内装板２９は、図４に示す如く、ガラス窓３１を挟む上下および左右に配設される上面パネル３４、下面パネル３５、左面パネル３６および右面パネル３７とから構成される。なお、上面パネル３４と下面パネル３５の構造、および左面パネル３６と右面パネル３７の構造は夫々略対称であるので、上面パネル３４および左面パネル３６の構造につき説明し、対応する下面パネル３５および右面パネル３７の同一部材には同じ符号を付して、その詳細な説明は省略する。
【００１５】
前記上面パネル３４は、図１および図３に示す如く、矩形状を呈する本体３８の下端縁に、幅方向左右に離間する一対の取着部３９,３９が、前方(外装板側)に向けて略直角に折曲形成されている。また両取着部３９,３９の間に臨む本体３８の下端縁には、前記ガラス窓３１の幅寸法に応じた長さの係合部４０が形成される。この係合部４０は、本体３８の外装板２８と対向する前面に対して略１３５°の角度で前方に向けて傾斜する傾斜部４０ａと、該傾斜部４０ａの開放端で上方に向けて本体３８と平行になるよう折曲された係止部４０ｂとから構成される。すなわち、上面パネル３４の傾斜部４０ａは、後述するように嵌込まれたガラス窓３１の庫内側の面に対し、庫内側に向かうにつれて該窓３１から離間するよう略４５°の角度で傾斜している。
【００１６】
前記左面パネル３６は、図２および図３に示す如く、矩形状を呈する本体４１の上下の端縁に、前方(外装板側)に向けて略直角に折曲された取着部４２,４２が形成されている。また本体４１の右側端縁には、前記ガラス窓３１の上下寸法に応じた長さの係合部４３が形成される。この係合部４３は、本体４１の外装板２８と対向する前面に対して略１３５°の角度で前方に向けて傾斜する傾斜部４３ａと、該傾斜部４３ａの開放端で左方に向けて本体４１と平行になるよう折曲された係止部４３ｂとから構成される。すなわち、左面パネル３６の傾斜部４３ａは、後述するように嵌込まれたガラス窓３１の庫内側の面に対し、庫内側に向かうにつれて該窓３１から離間するよう略４５°の角度で傾斜している。
【００１７】
前記４枚のパネル３４,３５,３６,３７は、上面パネル３４の左右の取着部３９,３９が、左右のパネル３６,３７の上側の取着部４２,４２に当接すると共に、下面パネル３５の左右の取着部３９,３９が、左右のパネル３６,３７の下側の取着部４２,４２に当接した状態で位置決めされ、対向当接する取着部３９,４２同士が、図６に示すクリップ４４を介して連結されるようになっている。そして、この４枚のパネル３４,３５,３６,３７からなる内装板２９の略中央に、前記外装板２８の開口部３２ａと対応する開口部２９ａが形成され、この開口部２９ａは、前記傾斜部４０ａ,４０ａ,４３ａ,４３ａによって、ガラス窓側から庫内側に向かうにつれて開拡するよう構成される。なお、前記４枚のパネル３４,３５,３６,３７の各係合部４０,４０,４３,４３における長手方向の端縁部は、夫々４５°の角度で傾斜し、４枚のパネル３４,３５,３６,３７を位置決めした際に、上下のパネル３４,３５の各係合部４０,４０と、左右のパネル３６,３７の各係合部４３,４３とは、図４に示すように、その長手方向の端縁部が相互に隙間なく当接するよう構成される。
【００１８】
前記外装板２８の開口部３２ａおよび内装板２９の開口部２９ａには、図１および図２に示す如く、パッキン４５を介して前記ガラス窓３１が嵌込まれている。このガラス窓３１は、スペーサ４６を介して２枚のガラス板４７,４７を前後に離間して配設したペアガラスであって、その外周縁部が、パッキン４５に形成された内周面側に開放する嵌合溝４５ａに嵌合されている。またパッキン４５は、嵌合溝４５ａを挟んで前側(外装板側)に外周面側に開放する係合溝４５ｂが形成され、該係合溝４５ｂに前記外装板２８の第１係合部３２ｂが係合して位置決めされる。更に、嵌合溝４５ａを挟んで後側(内装板側)に断面略Ｌ字状の支持部４５ｃが形成され、該支持部４５ｃを介して断面Ｌ字状のフレーム４８が位置決めしてある。なおフレーム４８は、扉１２の補強材として機能する。
【００１９】
前記パッキン４５における支持部４５ｃの後面に、前記内装板２９における各パネル３４,３５,３６,３７の係止部４０ｂ,４０ｂ,４３ｂ,４３ｂが当接して位置決めされている。また外装板２８と内装板２９とは、図５に示す如く、外装板２８の第２係合部３２ｃに一端が係合するホルダ３３の他端に、内装板２９の各パネル３４,３５,３６,３７における外周端縁が係合することで位置決め連結される。そして、この状態でパッキン４５、外装板２８および内装板２９で画成される空間に、断熱材３０が発泡充填されることで、扉１２が構成されている。
【００２０】
【実施例の作用】
次に、実施例に係る扉の作用につき、先ず該扉１２を製作する手順につき説明する。図示しない治具上に外装板２８を、第１係合部３２ｂおよび第２係合部３２ｃが上向きとなる姿勢で位置決め載置し、該外装板２８の第１係合部３２ｂに、前記ガラス窓３１の外周縁に嵌合溝４５ａを介して嵌合されているパッキン４５を、前記係合溝４５ｂを介して位置決めする。またパッキン４５の支持部４５ｃにフレーム４８を位置決めする。なお、パッキン４５の支持部４５ｃをＬ字状に形成し、その垂直片にフレーム４８を位置決めしたので、フレーム４８と支持部４５ｃとの間に画成される隙間により、該支持部４５ｃが変形してフレーム４８の位置調整を容易に行なうことができる。
【００２１】
前記内装板２９を構成する４枚のパネル３４,３５,３６,３７を、前述したように対応する取着部３９,４２をクリップ４４で夫々位置決め連結する。この内装板２９の各パネル３４,３５,３６,３７の外端縁に前記ホルダ３３を係合連結すると共に、該ホルダ３３を前記外装板２８の第２係合部３２ｃに係合する。次いで、各パネル３４,３５,３６,３７の係止部４０ｂ,４０ｂ,４３ｂ,４３ｂをパッキン４５の支持部４５ｃに当接位置決めし、図示しない治具で固定した状態で、外装板２８に形成した孔(図示せず)から内側に所要量の発泡液を注入して発泡させる。これにより、ガラス窓３１を有すると共に、外装板２８と内装板２９との間に断熱材３０が発泡充填された扉１２が製作される。
【００２２】
前述したように製作された扉１２は、前記冷蔵庫１０の筐体１１に配設した状態で、庫内側に臨む内装板２９におけるガラス窓３１の周囲に、庫内側に向かうにつれて該窓３１から離間する方向に略４５°で傾斜する傾斜部４０ａ,４０ａ,４３ａ,４３ａが形成されている。従って、ガラス窓３１に対して斜めから庫内を見たときに、前面から見てガラス窓３１より側方に収納されている物品も見やすくなる。また、庫外からガラス窓３１を通して庫内に斜めに入る光は、内装板２９により多量に遮られることなく庫内に入り易くなるため、庫内に届く光の量が多くなり、庫内の物品の視認性が向上する。
【００２３】
また、前記扉１２の内装側のガラス窓周囲を清掃する際に、内装板２９がガラス窓３１およびパッキン４５に対して４５°で傾斜しているから、ガラス窓３１およびパッキン４５と内装板２９とで形成される角部には汚れ等が溜り難く、清掃性が良くなり、また庫外からの見栄えが劣ることはなくなる。すなわち、冷庫庫１０の庫内を常に衛生的に保持し得る。更に、内装板２９における各パネル３４,３５,３６,３７の係合部４０,４０,４３,４３が当接する部分は、傾斜面同士で当接する形状としたから、この部分を清掃する際の安全性も確保されている。なお、ガラス窓３１の周囲の清掃性および視認性を向上させる傾斜部４０ａ,４０ａ,４３ａ,４３ａは、内装板２９自体に形成したものであり、傾斜を付与するための別部材は存在せず、部品点数が増加してコストが嵩むことはない。
【００２４】
また実施例に係る冷蔵庫１０では、前記冷凍機構１３の冷凍運転開始に伴い、送風装置１９における２基の送風機２１,２１の各モータ２３が駆動してファンブレード２４が回転し、図８に示す如く、冷蔵庫１０の裏側外部から通孔を介して機械室内に吸引される空気が、前記凝縮器１５を通過することで該凝縮器１５が冷却される。凝縮器１５と熱交換した空気は、前記矩形状開口部２２ａを介して箱状本体２２内へ吸込まれた後、前記円形開口部２２ｂ,２２ｂを介して前記圧縮機１４へ吹付けられることで、該圧縮機１４の冷却が行なわれる。
【００２５】
前記箱状本体２２の内部には、２基の送風機２１,２１の間に仕切り板２７が配設されているから、各送風機２１から本体内に吸込まれる空気が干渉することなく効率的に空気が流れる。また円形開口部２２ｂ,２２ｂから圧縮機１４側へ吹出される空気は、送風機２１を箱状本体２２に配設するブラケット２５,２５に設けた孔部２５ａ,２５ａを介して流れるから、該ブラケット２５,２５により圧縮機１４に吹付けられる風量が大きく減少するのは抑制され、冷凍機構１３の凝縮能力および冷凍能力が向上する。
【００２６】
また、前記送風装置１９を通過した空気は、前記カバー部材２０に設けた規制部材２６により、前記凝縮器１５の空気吸込側に回り込むのが防止される。従って、凝縮器１５を効率的に冷却することができ、冷凍機構１３の凝縮能力および冷凍能力を向上することができる。なお、前記規制部材２６の垂直部２６ｂにより、外部から機械室内へ入る水が、送風機２１や機械室１７の内部に配設される各種電気部品にかかるのを防止することができる。
【００２７】
実施例では、扉が採用される貯蔵庫として、庫内を冷却する冷蔵庫の場合で説明したが、庫内を所定温度で加温する温蔵庫等であってもよい。また、扉に配設される透視窓は、庫内を外部から視認し得るものであれば、ガラス窓でなく、透明な樹脂板を用いたものを採用し得る。
【００２８】
【発明の効果】
以上に述べた如く、本発明に係る貯蔵庫の扉によれば、内装板を４枚のパネルから構成し、各パネルの係合部が当接する部分を傾斜面同士で当接する形状としたから、この部分を清掃する際の安全性も確保される。また、庫内側に臨む内装板における透視窓の周囲に、庫内側に向かうにつれて該窓から離間する方向に傾斜する傾斜部を形成したので、内装板と透視窓とで形成される角部には汚れ等が溜り難く、清掃性が良くなり、また庫外からの見栄えが劣ることはなくなる。すなわち、貯蔵庫の庫内を常に衛生的に保持し得る。また、透視窓に対して斜めから庫内を見たときに、前面から見て透視窓より側方に収納されている物品も見やすくなる。更に、庫外から透視窓を通して庫内に斜めに入る光は、内装板により多量に遮られることなく庫内に入り易くなるため、庫内に届く光の量が多くなり、庫内に収納した物品の視認性が向上する。
【図面の簡単な説明】
【図１】  本発明の実施例に係る扉におけるガラス窓に対する上下の嵌込み部分を示す要部断面図である。
【図２】  実施例に係る扉におけるガラス窓に対する左右の嵌込み部分を示す要部断面図である。
【図３】  実施例に係る扉の内装板を示す分解斜視図である。
【図４】  実施例に係る扉の背面図である。
【図５】  実施例に係る扉の内装板と外装板との連結部を示す要部断面図である。
【図６】  実施例に係る扉の内装板を構成するパネル同士の連結部を示す要部断面図である。
【図７】  実施例に係る扉が配設される冷蔵庫の正面図である。
【図８】  実施例に係る冷蔵庫の冷凍機構を示す平面図である。
【図９】  実施例に係る冷蔵庫の冷凍機構を示す側面図である。
【図１０】  実施例に係る冷凍機構の送風装置を示す正面図である。
【図１１】  実施例に係る送風装置のカバー部材を示す側面図である。
【符号の説明】
１０ 冷蔵庫(貯蔵庫), ２８ 外装板, ２９ 内装板, ２９ａ 開口部
３０ 断熱材, ３１ ガラス窓(透視窓), ３２ａ 開口部, ３４ 上面パネル
３５ 下面パネル, ３６ 左面パネル, ３７ 右面パネル, ４０ 係合部
４０ａ 傾斜部, ４０ｂ 係止部, ４３ 係合部, ４３ａ 傾斜部
４３ｂ 係止部, ４５ パッキン, ４５ｃ 支持部
【図１】
0003707662.tif 000002
【図２】
0003707662.tif 000003
【図３】
0003707662.tif 000004
【図４】
0003707662.tif 000005
【図５】
0003707662.tif 000006
【図６】
0003707662.tif 000007
【図７】
0003707662.tif 000008
【図８】
0003707662.tif 000009
【図９】
0003707662.tif 000010
【図１０】
0003707662.tif 000011
【図１１】
0003707662.tif 000012